(57)【要約】【課題】吸収性能の低下やムレの発生を生じることなく、体液拡散防止用のポケットを形成するとともに、肌面に密着する凸部を形成することにより、体液の漏れを防止する。【解決手段】背側の吸収体４と重なる領域が上段側領域２０と下段側領域２１とを有し、上段側領域２０のおむつ幅方向中央部に、バックシート２と吸収体４との間に上下方向に間隔をおいて水平方向に沿って複数の上段用弾性伸縮部材２２が配置され、下段側領域２１のおむつ幅方向に離間して両側にそれぞれ、バックシート２と吸収体４との間に上下方向に間隔をおいて水平方向に沿って複数の下段用弾性伸縮部材２３が配置され、上段用弾性伸縮部材２２及び下段用弾性伸縮部材２３は、バックシート２側に固定され、吸収体４側に固定されない。弾性伸縮部材２２、２３の収縮により凸部２４、２５、２５が形成され、これら凸部に囲まれたポケット２６が形成される。【選択図】図２
2015177896.tif 000002
【特許請求の範囲】
【請求項１】
透液性トップシートとバックシートとの間に吸収体が介在された使い捨て紙おむつにおいて、
背側の前記吸収体と重なる領域が、おむつ長手方向端部側の上段側領域と、おむつ長手方向中央側の下段側領域とを有し、
前記上段側領域のおむつ幅方向中央部に、前記バックシートと吸収体との間に水平方向に沿って上段用弾性伸縮部材が配置され、前記下段側領域のおむつ幅方向に離間して両側にそれぞれ、前記バックシートと吸収体との間に水平方向に沿って下段用弾性伸縮部材が配置され、
前記上段用弾性伸縮部材及び下段用弾性伸縮部材は、前記バックシート側に固定され、前記吸収体側に固定されていないことを特徴とする使い捨て紙おむつ。
【請求項２】
前記下段用弾性伸縮部材の収縮力は、前記上段用弾性伸縮部材の収縮力より高く設定されている請求項１記載の使い捨て紙おむつ。
【請求項３】
前記上段用弾性伸縮部材は、おむつ長手方向端部側に配置されたものよりおむつ長手方向中央側に配置されたものの方が収縮力が大きくなるように設定され、
前記下段用弾性伸縮部材は、おむつ長手方向中央側に配置されたものよりおむつ長手方向端部側に配置されたものの方が収縮力が大きくなるように設定されている請求項１、２いずれかに記載の使い捨て紙おむつ。
【請求項４】
前記上段用弾性伸縮部材及び下段用弾性伸縮部材は、不織布シート間に上下方向に間隔をおいて水平方向に沿って複数の弾性伸縮部材を配置し、この弾性伸縮部材のうち、前記上段側領域に対応する領域に配置されたおむつ幅方向中央部以外の弾性伸縮部材の伸縮性を非活性化するとともに、前記下段側領域に対応する領域に配置されたおむつ幅方向に離間する両側部以外の弾性伸縮部材の伸縮性を非活性化することにより作成された伸縮性シートを、前記バックシートと吸収体との間に配置することにより設けられている請求項１〜３いずれかに記載の使い捨て紙おむつ。
【請求項５】
背側の前記吸収体よりおむつ長手方向外方側のフラップ部に、上下方向に間隔をおいて水平方向に沿って複数のフラップ用弾性伸縮部材が配置されている請求項１〜４いずれかに記載の使い捨て紙おむつ。
【請求項６】
前記上段用弾性伸縮部材の収縮力は、前記フラップ用弾性伸縮部材の収縮力に対して同等以下に設定されている請求項５記載の使い捨て紙おむつ。
【請求項７】
前記フラップ用弾性伸縮部材は、前記伸縮性シートの不織布シート間に配置されている請求項５、６いずれかに記載の使い捨て紙おむつ。
【請求項８】
前記上段用弾性伸縮部材及び下段用弾性伸縮部材はそれぞれ、上下方向に間隔をおいて複数配置されている請求項１〜７いずれかに記載の使い捨て紙おむつ。
【発明の詳細な説明】
【技術分野】
【０００１】
本発明は、背側の所定部位を肌側に凸形に変形させることにより、この凸部を肌面に密着させるとともに、おむつ表面に軟便拡散防止用のポケットを形成するようにした使い捨て紙おむつに関する。
【背景技術】
【０００２】
従来より、透液性トップシートとバックシートとの間に吸収体が介在された吸収性物品が知られている。この種の吸収性物品にも幾多の改良が重ねられ、体液漏れやムレを防止するため、吸収体の厚みを薄くした凹部や吸収体を存在させない欠損部を形成したものが数多く提案されている（例えば、下記特許文献１〜３参照）。
【０００３】
前記下記特許文献１では、軟便又は水状軟便の拡散を最小化し、体液漏れを防止するため、吸収体に排泄物を収納保持する便ポケットを設け、高吸収性ポリマーが前記便ポケットでその周壁部及び底面部に偏在して配置された吸収性物品が開示されている。
【０００４】
また、下記特許文献２では、上層吸収体と下層吸収体が積層されて互いに対向する面であって、平面視した際の上層吸収体が存在する領域における下層吸収体側の面に連続した溝を備え、該溝は、上層吸収体が存在する領域の幅方向又は長手方向の端部に達している溝である吸収性物品とすることにより、排泄液を直接的に受け取る上層吸収体の内部に空気と吸収体との界面をできるだけ多く設け、水分の蒸発を促した吸収性物品が開示されている。
【０００５】
更に、下記特許文献３では、後胴回り域に設けられるシート状弾性要素を備え、吸収体は他の部位よりも目付けが低いまたは吸収性コアが存在しない低剛性領域を有し、前記シート状弾性要素が使い捨ておむつの平面視において低剛性領域の少なくとも一部と重なり、製品幅方向における低剛性領域の幅が製品長手方向における後胴回り域側の端部に向かうに連れて広くなる使い捨ておむつが開示されている。かかる使い捨ておむつでは、シート状弾性要素によって吸収体が製品幅方向に収縮させられると、くさび状の低剛性領域が狭まり、後胴回り域が非肌面側に膨らむカップ形状に変形するため、着用者の背側・臀部部分のカーブに沿うように変形し、隙間なく装着できるようになっている。
【先行技術文献】
【特許文献】
【０００６】
【特許文献１】特開２００７−１１７７２７号公報
【特許文献２】特開２０１３−１２６４５７号公報
【特許文献３】特開２０１３−１３８７０２号公報
【発明の概要】
【発明が解決しようとする課題】
【０００７】
しかしながら、上記特許文献１〜３記載の吸収性物品では、吸収体の厚みを減少させたり存在しない部分を設けることによって、所期の目的を達成しようとするものであるが、吸収材（パルプやポリマー、フィラメント）の量を減らしたり吸収材を存在させない部分を設けることにより吸収体の厚みを減少させた場合には、吸収量が低下する問題が発生し、吸収体を圧縮することにより吸収体の厚みを減少させた場合には、表面の吸収材が高密化するため体液の吸収速度が低下する問題が発生する。
【０００８】
一方で、人体の構造上、ウエスト周りの断面視で、背中の背骨に当たる部分が窪んでいるため、この窪み部から軟便が漏れやすいということが指摘されていた。このような身体の凹部におむつ表面をフィットさせるには、表面が平坦な吸収体を肌面側に凸状にする必要があるが、このような凸部を形成するに際しては、吸収体の厚みを増厚した中高部を形成することが一般的に行われていた。しかしながら、中高部を形成したものでは、吸収体の厚みが厚くなる結果、通気性が悪化し、ムレが発生するおそれがあった。
【０００９】
したがって、体液の漏れを防止するに当たって、吸収性能の低下やムレの発生を生じることなく、吸収体が全体に亘って均一な厚みのまま、体液貯留用のポケットを設けるとともに、身体の凹部にフィットする凸部を設ける技術の開発が望まれていた。
【００１０】
そこで本発明の主たる課題は、吸収性能の低下やムレの発生を生じることなく、体液拡散防止用のポケットを形成するとともに、肌面に密着する凸部を形成することにより、体液の漏れを防止した使い捨て紙おむつを提供することにある。
【課題を解決するための手段】
【００１１】
上記課題を解決するために請求項１に係る本発明として、透液性トップシートとバックシートとの間に吸収体が介在された使い捨て紙おむつにおいて、
背側の前記吸収体と重なる領域が、おむつ長手方向端部側の上段側領域と、おむつ長手方向中央側の下段側領域とを有し、
前記上段側領域のおむつ幅方向中央部に、前記バックシートと吸収体との間に水平方向に沿って上段用弾性伸縮部材が配置され、前記下段側領域のおむつ幅方向に離間して両側にそれぞれ、前記バックシートと吸収体との間に水平方向に沿って下段用弾性伸縮部材が配置され、
前記上段用弾性伸縮部材及び下段用弾性伸縮部材は、前記バックシート側に固定され、前記吸収体側に固定されていないことを特徴とする使い捨て紙おむつが提供される。
【００１２】
上記請求項１記載の発明では、背側の前記吸収体と重なる領域を、おむつ長手方向端部側の上段側領域と、おむつ長手方向中央側の下段側領域とに区画し、前記上段側領域のおむつ幅方向中央部に、前記バックシートと吸収体との間に水平方向に沿って上段用弾性伸縮部材を配置し、前記下段側領域のおむつ幅方向に離間して両側にそれぞれ、前記バックシートと吸収体との間に水平方向に沿って下段用弾性伸縮部材を配置している。そして、前記上段用弾性伸縮部材及び下段用弾性伸縮部材は、前記バックシート側に固定し、前記吸収体側に固定しないようにしている。
【００１３】
このため、前記上段用弾性伸縮部材の収縮力によって、吸収体のおむつ長手方向端部側のおむつ幅方向中央部が収縮され、肌側に凸形に変形する凸部が形成されるとともに、前記下段用弾性伸縮部材の収縮力によって、これより吸収体のおむつ長手方向中央側のおむつ幅方向に離間する両側がそれぞれ収縮され、それぞれ肌側に凸形に変形する凸部が形成される。
【００１４】
したがって、おむつ幅方向中央部の凸部が背中の背骨に当たる窪み部にフィットし、この窪み部からの体液の漏れが確実に防止できるようになる。更に、おむつ幅方向中央部の凸部とおむつ幅方向両側に離間した凸部との３つの凸部で囲まれた領域が周囲の凸部より相対的に窪んだ窪み部となり、この窪み部がおむつ中央側に開口し軟便などが一時貯留できる体液拡散防止用のポケットとして機能するため、体液を確実に吸収保持でき、漏れが防止できるようになる。また、これらの凸部は、吸収体の厚みを変化させることなく形成したものであるので、吸収性能の低下やムレの発生を生じることがない。
【００１５】
請求項２に係る本発明として、前記下段用弾性伸縮部材の収縮力は、前記上段用弾性伸縮部材の収縮力より高く設定されている請求項１記載の使い捨て紙おむつが提供される。
【００１６】
上記請求項２記載の発明では、下段用弾性伸縮部材の収縮力を、上段用弾性伸縮部材の収縮力より高く設定することにより、前記下段用弾性伸縮部材の収縮によって幅方向に離間して両側にそれぞれ形成される凸部の高さを、前記上段用弾性伸縮部材の収縮によって幅方向中央部に形成される凸部の高さより相対的に高くし、両側の凸部に挟まれた窪み部の深さが深くなるようにしている。
【００１７】
請求項３に係る本発明として、前記上段用弾性伸縮部材は、おむつ長手方向端部側に配置されたものよりおむつ長手方向中央側に配置されたものの方が収縮力が大きくなるように設定され、
前記下段用弾性伸縮部材は、おむつ長手方向中央側に配置されたものよりおむつ長手方向端部側に配置されたものの方が収縮力が大きくなるように設定されている請求項１、２いずれかに記載の使い捨て紙おむつが提供される。
【００１８】
上記請求項３記載の発明では、上段用弾性伸縮部材と下段用弾性伸縮部材の収縮力をそれぞれ、上段用弾性伸縮部材と下段用弾性伸縮部材の境界側の方が高くなるように設定することにより、凸部の高さを調整し、３つの凸部で囲まれたポケットの奥にいく程窪み部の深さが深くなるようにしている。
【００１９】
請求項４に係る本発明として、前記上段用弾性伸縮部材及び下段用弾性伸縮部材は、不織布シート間に上下方向に間隔をおいて水平方向に沿って複数の弾性伸縮部材を配置し、この弾性伸縮部材のうち、前記上段側領域に対応する領域に配置されたおむつ幅方向中央部以外の弾性伸縮部材の伸縮性を非活性化するとともに、前記下段側領域に対応する領域に配置されたおむつ幅方向に離間する両側部以外の弾性伸縮部材の伸縮性を非活性化することにより作成された伸縮性シートを、前記バックシートと吸収体との間に配置することにより設けられている請求項１〜３いずれかに記載の使い捨て紙おむつが提供される。
【００２０】
上記請求項４記載の発明では、上段用弾性伸縮部材及び下段用弾性伸縮部材をおむつに設けるに際して、これらの弾性伸縮部材を不織布シート間に配置した伸縮性シートを予め作成しておき、この伸縮性シートをバックシートと吸収体との間に配置することにより、おむつの製造工程を簡略化している。
【００２１】
請求項５に係る本発明として、背側の前記吸収体よりおむつ長手方向外方側のフラップ部に、上下方向に間隔をおいて水平方向に沿って複数のフラップ用弾性伸縮部材が配置されている請求項１〜４いずれかに記載の使い捨て紙おむつが提供される。
【００２２】
上記請求項５記載の発明では、背側の前記吸収体よりおむつ長手方向外方側のフラップ部に、上下方向に間隔をおいて水平方向に沿って複数のフラップ用弾性伸縮部材を配置してフラップ部に伸縮性を付与することによって、背側を肌面にフィットさせやすくするとともに、前記上段用弾性伸縮部材の収縮力による肌面側の凸部がフラップ部にも延在して設けられるようにしている。
【００２３】
請求項６に係る本発明として、前記上段用弾性伸縮部材の収縮力は、前記フラップ用弾性伸縮部材の収縮力に対して同等以下に設定されている請求項５記載の使い捨て紙おむつが提供される。
【００２４】
上記請求項６記載の発明では、前記上段用弾性伸縮部材の収縮力を、フラップ用弾性伸縮部材の収縮力と同等以下に設定することにより、フラップ部の縮こまりを大きくしておむつ装着時のフィット性を高めている。
【００２５】
請求項７に係る本発明として、前記フラップ用弾性伸縮部材は、前記伸縮性シートの不織布シート間に配置されている請求項５、６いずれかに記載の使い捨て紙おむつが提供される。
【００２６】
上記請求項７記載の発明では、フラップ用弾性伸縮部材を伸縮性シートの不織布シート間に配置することにより、おむつの製造工程を簡略化している。
【００２７】
請求項８に係る本発明として、前記上段用弾性伸縮部材及び下段用弾性伸縮部材はそれぞれ、上下方向に間隔をおいて複数配置されている請求項１〜７いずれかに記載の使い捨て紙おむつが提供される。
【００２８】
上記請求項８記載の発明では、上段用弾性伸縮部材及び下段用弾性伸縮部材をそれぞれ、上下方向に間隔をおいて複数配置することにより、背中の窪みにフィットするおむつ幅方向中央部の凸部及び体液拡散防止用のポケットをより明確に形成するようにしている。
【発明の効果】
【００２９】
以上詳説のとおり本発明によれば、吸収性能の低下やムレの発生を生じることなく、体液拡散防止用のポケットが形成できるとともに、肌面に密着する凸部が形成でき、体液の漏れが防止できるようになる。
【図面の簡単な説明】
【００３０】
【図１】本発明に係る使い捨て紙おむつ１の肌面側の一部破断展開図である。
【図２】使い捨て紙おむつ１の非肌面側の展開図である。
【図３】図２のIII−III線矢視図である。
【図４】図２のIV−IV線矢視図である。
【図５】図２のV−V線矢視図である。
【図６】使用状態を示す、図２のIV−IV線矢視図である。
【図７】使用状態を示す、図２のV−V線矢視図である。
【図８】使用状態を示す、使い捨て紙おむつ１の斜視図である。
【図９】使い捨て紙おむつ１の変形例を示す、非肌当接面側の展開図である。
【図１０】使い捨て紙おむつ１の変形例を示す、非肌当接面側の展開図である。
【図１１】使い捨て紙おむつ１の変形例を示す斜視図である。
【図１２】図１０のXII−XII線矢視図である。
【図１３】伸縮性シート２９の平面図である。
【発明を実施するための形態】
【００３１】
以下、本発明の実施の形態について図面を参照しながら詳述する。
【００３２】
〔使い捨て紙おむつ１の基本構造〕
図１〜図３に示されるように、本使い捨て紙おむつ１（以下、単におむつともいう。）は、綿状パルプ等からなり、たとえば砂時計形状（または長方形状等）のある程度の剛性を有するとともに、クレープ紙等の被包シート５によって囲繞された吸収体４と、該吸収体４の肌面側（使用面側）を覆うように配設された有孔または無孔の不織布等からなる透液性トップシート３と、前記吸収体４の裏面側に配設され、少なくとも吸収体４の全面積を覆うように配設されたポリエチレン等からなる防漏シート６と、この防漏シート６の外面側（非肌当接面側）に設けられた不織布からなるとともに、おむつ外形を画成する外面バックシート２と、紙おむつの両側部に表面側に起立する立体ギャザーＢＳを形成するとともに、おむつ両側部では前記防漏シート６及びバックシート２と共にサイドフラップ部ＳＦを構成するためのサイド不織布７、７と、おむつ背側両側部に設けられた機械接合式のファスニングテープ１０，１０とから主に構成されている。また、おむつ１の腹部ウエスト部および背側ウエスト部では、前記外面バックシート２、防漏シート６および透液性トップシート３が共に延在し、吸収体４の存在しないエンドフラップ部ＥＦが形成されている。
【００３３】
装着に当たっては、おむつ１の前身頃および後身頃をそれぞれ着用者の身体に当てがった後、前記ファスニングテープ１０，１０を腹側に持ち込み、外面バックシート２の外面側に設けられたフロントターゲットテープ１１に係合させておむつを装着する。
【００３４】
以下、更に各構成部材について具体的に詳述すると、
前記外面バックシート２としては不織布が用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、エアスルー法、スパンレース法、スパンボンド法、サーマルボンド法、メルトブローン法、ニードルパンチ法等の適宜の加工法によって得られた不織布を用いることができる。これらの不織布の中でも、不織布製造時にドラム搬送過程で加熱空気を送り繊維同士を熱融着させるエアスルー法により製造された不織布が好適に用いられる。前記エアスルー法は、高温空気の熱によって繊維同士を融着させるため、空間割合が高くふんわりとした感触と、嵩高であるなどの利点を有する。
【００３５】
前記透液性トップシート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、エアスルー法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３としては、ロール表面に凸部が複数設けられた凸ロールと、ロール表面に前記凸部が嵌入する凹部が複数設けられた凹ロールとからなるエンボスロールを通過させることにより表面に凹凸のエンボスが付与されているものを用いるのが望ましい。トップシート表面に形成された凹凸が軟便の表面拡散速度を抑え、排便領域の近傍で吸収体に吸収され易くなる。
【００３６】
前記吸収体４は、たとえばフラッフ状パルプ等の吸収性繊維と高吸収性ポリマーとにより構成され、図示例では脚回りへの当たりを和らげるために両側部に夫々括れ部を有する略砂時計状とされる。前記高吸収性ポリマーは例えば粒状粉とされ、吸収体４を構成するパルプ中に混入されている。
【００３７】
前記吸収体４は、次の剛度試験によって求めた剛性が５〜５０ｃＮ／５０ｍｍ、好ましくは１５〜３５ｃＮ／５０ｍｍである。
＜剛度試験＞
剛性（剛度）は、ＪＩＳ Ｋ ７１７１（プラスチック−曲げ剛性の試験方法）に準拠し、次の方法で測定する。測定にはテンシロン試験機（圧子先端部の曲率半径Ｒ１＝５．０±０．１ｍｍ、支持プレート先端部の曲率半径Ｒ２＝５．０±０．２ｍｍ）を用い、吸収体前後方向（長手方向）の曲げ剛性を測定する。試験片は、吸収体４から測定に影響する弾性伸縮部材を取り除き、これをおむつ長手方向８０ｍｍ、おむつ幅方向５０ｍｍの長方形に切り取ることにより作製する。曲げ剛性値の単位中の５０ｍｍは試験片の短辺の長さであり、試験時の圧子でたわませた試験片の幅である。それぞれ断面円弧状の先端部を有し、両先端部の先端（上端）間の間隔を位置を揃えて配置された一対の支持プレート上に、上記の試験片を、その長手方向を各プレートに直交する方向に向けて、掛け渡すように載置し、その試験片に僅かに接するように圧子先端部を配置する。ロードセル５ｋｇ（レンジ１９６ｃＮ）、速度３０ｍｍ／ｍｉｎの条件で圧子を降下させ、荷重−たわみ曲線を得る。得られた曲げ応力の最大値を曲げ剛性値（ｃＮ／５０ｍｍ）とする。なお、測定対象となる部位が上記サンプリング寸法より小さい場合は、小スケールの試験片で測定を行い、寸法比に基づいて比例計算にて換算する。
【００３８】
前記吸収体４を囲繞する被包シート５としては、クレープ紙、親水性不織布等、吸収体４への体液吸収を阻害することなく、体液等を透過させ、かつ吸収体４が崩れないように形状保持するものであればどのようなシートを用いてもよい。この被包シート５は、無孔シートの他、多数の開孔が形成された多孔シートを用いることができる。
【００３９】
前記防漏シート６は、ポリエチレンやポリプロピレン等のオレフィン系樹脂シートなどの少なくとも遮水性を有するシート材が用いられ、漏れを防止するために少なくとも吸収体４の全面積を覆う範囲に設置される。近年は、ムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００４０】
前記透液性トップシート３は、吸収体４側縁よりも若干外方に突出し、前記防漏シート６と接合されている。前記サイド不織布７は、前記吸収体４の側縁部近傍よりも外側部分が外縁まで延び、前記防漏シート６及び外面バックシート２と接合され、この積層シート部分によってサイドフラップＳＦを構成している。
【００４１】
このサイドフラップ部ＳＦにおいては、紙おむつ長手方向に複数本、図示の例では２本の弾性伸縮部材８，８が配設され、平面ギャザーが形成されている。この平面ギャザーは、着用した際に紙おむつをきっちりと脚周りにて保持することにより、フィット性を向上させ紙おむつがずれるのを防止する。
【００４２】
他方、前記サイド不織布７の前記固着部よりも内方側の不織布シート部分によって表面側に起立する立体ギャザーＢＳが形成されている。この立体ギャザーＢＳは、吸収体４の側縁近傍位置に起立端を有し、その先端がおむつ長手方向に沿って二重に折り返され、この折り返し部の内方に１本の弾性伸縮部材９を、または必要により複数本の弾性伸縮部材を配設することにより、その伸縮力を利用して立体ギャザーＢＳを起立させるようになっている。
【００４３】
前記弾性伸縮部材８，９としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００４４】
前記サイド不織布７を構成する素材繊維としては、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、エアスルー法、メルトブローン法、ニードルパンチ法等の適宜の加工方法により得られた不織布を用いることができるが、特にサイドフラップ部ＳＦを構成する前記サイド不織布７は、ゴワ付き感を無くすとともに、ムレを防止するために、坪量を抑えて通気性に優れた不織布を用いるのがよい。
【００４５】
前記機械接合式のファスニングテープ１０は、図１に示されるように、プラスチック、ポリラミ不織布、不織布、紙等のファスニング基材１０Ａの基部がおむつに接合されている。前記ファスニング基材１０Ａの突出片部分でかつ表面側（透液性トップシート３側の面）にフック要素１０Ｂを有する。前記フック要素１０Ｂは、ファスニング基材１０Ａに接着剤により剥離不能に接着されている。前記フック要素１０Ｂは、その外面に多数の係合片１０ｂ、１０ｂ…を有する。前記ファスニングテープ１０は製品状態では、透液性トップシート３側に折り畳まれ、前記フック要素１０Ｂがサイド不織布７に対して剥離可能に接合された状態となっている。
【００４６】
〔使い捨て紙おむつ１の特徴部分の構造〕
本使い捨て紙おむつ１では、図２に示されるように、背側の吸収体４と重なる領域に、おむつ長手方向端部側の上段側領域２０と、おむつ長手方向中央側の下段側領域２１とを有している。前記上段側領域２０及び下段側領域２１は、吸収体４のほぼ全幅に亘る略矩形状に区画された仮想領域であり、おむつ長手方向にほぼ隣接して配置されている。
【００４７】
前記上段側領域２０のおむつ幅方向中央部には、外面バックシート２と吸収体４との間に水平方向に沿って１又は複数の、図示例では上下方向に間隔をおいて７本の上段用弾性伸縮部材２２、２２…が配置されている。前記上段用弾性伸縮部材２２、２２…は、おむつ幅方向の中央部に所定幅で上下方向にほぼ等間隔で配置されている。この上段用弾性伸縮部材２２、２２…は、図４に示されるように、外面バックシート２と吸収体４との間、具体的には外面バックシート２と防漏シート６との間に配置され、両端又は適宜の位置が外面バックシート２側に接合され、吸収体４側（防漏シート６）に固定されていない。なお、上段側領域２０において、前記上段用弾性伸縮部材２２、２２…の配設領域以外の領域は、外面バックシート２が吸収体４側（防漏シート６）にホットメルト接着剤などによって接合さている。
【００４８】
また、前記下段側領域２１のおむつ幅方向に離間する両側にはそれぞれ、外面バックシート２と吸収体４との間に水平方向に沿って１又は複数の、図示例では上下方向に間隔をおいて７本の下段用弾性伸縮部材２３、２３…が配置されている。前記下段用弾性伸縮部材２３、２３…は、おむつ幅方向中央部に離間部を有しながら、おむつ幅方向の両側にそれぞれ所定幅で上下方向にほぼ等間隔で配置されている。この下段用弾性伸縮部材２３、２３…は、図５に示されるように、外面バックシート２と吸収体４との間、具体的には外面バックシート２と防漏シート６との間に配置され、各配設領域の両端又は適宜の位置が外面バックシート２側に接合され、吸収体４側（防漏シート６）に固定されていない。なお、下段側領域２１において、前記下段用弾性伸縮部材２３、２３…の配設領域以外の領域では、外面バックシート２が吸収体４側（防漏シート６）にホットメルト接着剤などによって接合されている。
【００４９】
上述のように上段用弾性伸縮部材２２、２２…及び下段用弾性伸縮部材２３、２３…を配置することにより、図６〜図８に示されるように、背側のおむつ長手方向端部側のおむつ幅方向中央部に、前記上段用弾性伸縮部材２２、２２…の収縮力によって吸収体４が収縮され、前記吸収体４が肌側に向けて膨出した凸部２４が形成されるとともに、この凸部２４のおむつ長手方向中央側に隣接するおむつ幅方向に離間する両側にそれぞれ、前記下段用弾性伸縮部材２３、２３…の収縮力によって吸収体４が収縮され、前記吸収体４が肌側に向けて膨出した凸部２５、２５が形成されるようになる。
【００５０】
人体の構造上、ウエスト周りの断面視で、背中の背骨に当たる部分が窪み部となっているが、この窪み部に前記凸部２４が当接しておむつの表面が肌面に密着するため、この窪み部からの軟便の漏れが確実に防止できるようになる。また、前記３つの凸部２４、２５、２５で囲まれた領域は、これらの凸部より相対的に窪んだ窪み部となり、この窪み部がおむつ中央側に開口した体液拡散防止用のポケット２６として機能するようになる。前記ポケット２６は、吸収体４に吸収されるのに時間がかかる軟便などを一時貯留する領域として作用するので、吸収体４に体液が確実に吸収保持され、漏れが防止できるようになる。これら３つの凸部２４、２５、２５は、吸収体４の厚みを変化させることなく形成したものであるので、吸収体４の吸収性能の低下やムレの発生を生じることなく前述の効果を奏するようになる。
【００５１】
前記上段用弾性伸縮部材２２及び下段用弾性伸縮部材２３としては、スチレン系ゴム、オレフィン系ゴム、ウレタン系ゴム、ポリウレタン、ポリエチレン、ポリスチレン、スチレンブタジエン、シリコン、ポリエステル等の素材を用いることができる。前記弾性伸縮部材２２、２３の太さは、３１０ｄｔ〜６２０ｄｔが好ましい。また、弾性伸縮部材２２、２３はそれぞれ、１〜１０ｍｍの間隔で、特に１〜５ｍｍの間隔で配置することが好ましい。
【００５２】
前記下段用弾性伸縮部材２３の収縮力は、上段用弾性伸縮部材２２の収縮力より高く設定するのが望ましい。これにより、前記下段用弾性伸縮部材２３によって形成される凸部２５、２５の高さが、前記上段用弾性伸縮部材２２によって形成される凸部２４より高くなり、凸部２５、２５で挟まれたポケット２６の窪み深さが深くなる。前記弾性伸縮部材２２、２３の収縮力を調整するには、配設時の伸長率（テンション）を調整したり、弾性伸縮部材の太さを調整することにより行う。具体的に配設時の伸長率を調整する場合、上段用弾性伸縮部材２２の伸長率は、自然長を１００％としたときの伸長率が２３０％〜３３０％（２．３倍〜３．３倍）、好ましくは２４０％（２．４倍）程度とするのがよく、下段用弾性伸縮部材２３の伸長率は、自然長を１００％としたときの伸長率が２４０％〜３４０％（２．４倍〜３．４倍）、好ましくは３３０％（３．３倍）程度とするのがよい。
【００５３】
前記上段用弾性伸縮部材２２の配設領域と、下段用弾性伸縮部材２３の配設領域とは、図２に示されるように、千鳥状に配置され、両側の下段用弾性伸縮部材２３の配設領域が、上段用弾性伸縮部材２２の配設領域の分だけ両側に離間して設けられることが好ましい。これにより、両側の下段用弾性伸縮部材２３によって形成される凸部２５、２５間に十分な幅のポケット２６が形成されるようになる。これら弾性伸縮部材２２、２３の配設領域は、図示例では側縁同士がほぼ一致するように設けられているが、おむつ長手方向に重なるように配置してもよいし、若干離間するように配置してもよい。
【００５４】
図２に示されるように、前記上段用弾性伸縮部材２２の配設領域の幅Ｗ１は、４０ｍｍ〜６０ｍｍが好ましく、おむつ長手方向長さＬ１は、１５ｍｍ〜２５ｍｍが好ましい。また、下段用弾性伸縮部材２３の配設領域の幅Ｗ２は、４０ｍｍ〜６０ｍｍが好ましく、おむつ長手方向長さＬ２は、１５ｍｍ〜２５ｍｍが好ましい。前記上段用弾性伸縮部材２２の配設領域と、下段用弾性伸縮部材２３の配設領域とは同じ寸法である必要はなく、異なっていてもよい。ただし、下段用弾性伸縮部材２３の両側の配設領域の寸法は同じにするのが望ましい。なお、前記上段用弾性伸縮部材２２の配設領域の幅Ｗ１及び下段用弾性伸縮部材２３の配設領域の幅Ｗ２はそれぞれ、前記弾性伸縮部材２２、２３が配設される部分の吸収体４の幅の２５％〜５０％、好ましくは２５％〜４０％とするのがよい。
【００５５】
図９に示されるように、上段用弾性伸縮部材２２、２２…は、おむつ長手方向端部側に配置されたものよりおむつ長手方向中央側に配置されたものの方が収縮力が大きくなるように設定し、且つ下段用弾性伸縮部材２３、２３…は、おむつ長手方向中央側に配置されたものよりおむつ長手方向端部側に配置されたものの方が収縮力が大きくなるように設定するのが好ましい。収縮力を大きくするには、図９に示されるように、弾性伸縮部材２２、２３の配設長さを長くしたり、伸長率を大きくしたり、太さの太いものを用いたりすることにより調整できる。このように、上段用弾性伸縮部材２２と下段用弾性伸縮部材２３の境界側の方が高い収縮力を有するように設定することにより、それぞれの凸部２４、２５の高さを調整し、３つの凸部２４、２５、２５で囲まれたポケット２６がおむつ中央側からおむつ端部側にいくに従って窪み深さが深くなるように形成され、体液が確実に一時貯留でき、漏れが防止できるようになる。前記弾性伸縮部材２２、２３の配設長さは、図示例のように直線的に漸次変化するように配置してもよいし、曲線的に漸次変化するように配置したり、段階的に変化するように配置してもよい。配設長さが最も短いものと最も長いものとの比は、１：２程度とするのがよい。
【００５６】
図１０に示されるように、背側のエンドフラップ部ＥＦに、上下方向に間隔をおいて水平方向に沿って複数のフラップ用弾性伸縮部材２７、２７…を配置することにより、このエンドフラップ部ＥＦに伸縮性を付与するようにしてもよい。これにより、背側を肌面にフィットさせやすくなるとともに、図１１に示されるように、上段用弾性伸縮部材２２の収縮力による肌面側への凸部２４がエンドフラップ部ＥＦにも延在して設けられるようになり、身体の窪み部分によりフィットしやすくなる。
【００５７】
前記上段用弾性伸縮部材２２、下段用弾性伸縮部材２３及びフラップ用弾性伸縮部材２７は、それぞれ独立的に設けてもよいが、図１０及び図１２に示されるように、これら弾性伸縮部材２２、２３、２７を不織布シート２８、２８間に配置した伸縮性シート２９を予め作成しておき、この伸縮性シート２９を外面バックシート２と防漏シート６との間に配置するようにするのが好ましい。これにより、おむつの製造工程が簡略化できるようになる。
【００５８】
具体的な前記伸縮性シート２９の製造方法について説明すると、図１３に示されるように、不織布シート２８、２８間に上下方向に間隔をおいて水平方向に沿って前記弾性伸縮部材２２、２３、２７に対応する位置に複数の弾性伸縮部材を前記不織布シート２８の全幅に亘って配置する。前記弾性伸縮部材は、図示例のように１枚の不織布シートの下端を折り返した二重シート間に配置してもよいし、２枚の不織布シート間に配置してもよい。これら弾性伸縮部材のうち、前記上段側領域２０に対応する領域に配置されたおむつ幅方向中央部以外の部分３０、３０の弾性伸縮部材の伸縮性を非活性化するとともに、前記下段側領域２１に対応する領域に配置されたおむつ幅方向に離間する両側部以外の部分３１、３１…の弾性伸縮部材の伸縮性を非活性化することにより、それぞれ伸縮性が活性化された状態のままの弾性伸縮部材が上段側から順にフラップ用弾性伸縮部材２７、２７…、上段用弾性伸縮部材２２、２２…及び下段用弾性伸縮部材２３、２３…とされた伸縮性シート２９を得ることができる。
【００５９】
ここで、弾性伸縮部材２２、２３が「伸縮性を非活性化される」とは、後述の不連続化手段によって弾性伸縮部材を所定の間隔で細かく切断したり、弾性伸縮部材を所定の区間に亘って連続して不織布シート２８、２８に接着したりすることにより、弾性伸縮部材の伸縮力が機能しない状態又は機能を大幅に低下させた状態にすることである。弾性伸縮部材を細かく切断するには、例えば、弾性伸縮部材を１〜１０mmの間隔で、好ましくは１〜５mmの間隔で、所定のカットパターンによって切断するようにする。
【００６０】
前記弾性伸縮部材２５…を切断し不連続化するには、不織布シート２８、２８間に弾性伸縮部材を配置したシートを製造した後、表面に凸部が形成されこの凸部にカッターを複数個配列したカッターロールと、このカッターロールと対向する対向ロールとの間に前記シートを通過させ、このシートの所定部位の弾性伸縮部材を前記カッターロールの凸部および対向ロール間での加圧および加熱の内の少なくとも一方により切断するものである。対向ロールは、両ロールの回転によってカッター部が下がり、カッターロールのカッター部のみと当接するように、カッターロールと離間させておくと良い。
【００６１】
前記伸縮性シート２９は、外面バックシート２側の面がほぼ全面に亘って外面バックシート２側に接合され、吸収体４側の面が前記上段用弾性伸縮部材２２…及び下段用弾性伸縮部材２３…の配設領域を除く領域において防漏シート６に接合される。
【００６２】
前記伸縮性シート２９は、少なくとも上段用弾性伸縮部材２２…及び下段用弾性伸縮部材２３…を一体的に含んでいればよく、フラップ用弾性伸縮部材２７…を備えない使い捨て紙おむつ１についても採用することができる。
【００６３】
前記上段用弾性伸縮部材２２、２２…の収縮力は、フラップ用弾性伸縮部材２７、２７…の収縮力に対して同等以下に設定するのが好ましい。これにより、エンドフラップ部ＥＦの縮こまりを大きくして、おむつ装着時のフィット性が高められる。フラップ用弾性伸縮部材２７の収縮力を上段用弾性伸縮部材２２の収縮力より大きく設定するには、配設時の伸長率（テンション）を大きくしたり、太さを太くすることにより調整できる。配設時の伸長率を大きくする場合、フラップ用弾性伸縮部材２７の伸長率を２５０％〜２９０％（２．５倍〜２．９倍）とし、上段用弾性伸縮部材２２の伸長率を２５０％〜２９０％（２．５倍〜２．９倍）とするのが好ましい。
【００６４】
〔他の形態例〕
上記形態例では、上段側領域２０のおむつ幅方向中央部に、外面バックシート２と吸収体４との間に上下方向に間隔をおいて水平方向に沿って複数の上段用弾性伸縮部材２２、２２…を配置し、下段側領域２１のおむつ幅方向に離間する両側にそれぞれ、外面バックシート２と吸収体４との間に上下方向に間隔をおいて水平方向に沿って複数の下段用弾性伸縮部材２３、２３…を配置することにより、肌側に向けて膨出した凸部２４、２５、２５を形成していたが、前記弾性伸縮部材２２、２３の配設領域にそれぞれ、おむつ幅方向に伸縮性を有するシート材を配設することにより、前記凸部２４、２５、２５を形成するようにしてもよい。前記伸縮性を有するシート材としては、素材自体が伸縮性を有するもの、二重シート間に弾性伸縮部材を配置することにより伸縮性を付与したものなどを用いることができる。
【符号の説明】
【００６５】
１…使い捨ておむつ、２…外面バックシート、３…透液性トップシート、４…吸収体、５…クレープ紙、６…防漏シート、７…サイド不織布、８・９…弾性伸縮部材、１０…ファスニングテープ、２０…上段側領域、２１…下段側領域、２２…上段用弾性伸縮部材、２３…下段用弾性伸縮部材、２４・２５…凸部、２６…ポケット、２７…フラップ用弾性伸縮部材、２８…不織布シート、２９…伸縮性シート、ＥＦ…エンドフラップ、ＳＦ…サイドフラップ
【図１】
2015177896.tif 000003
【図２】
2015177896.tif 000004
【図３】
2015177896.tif 000005
【図４】
2015177896.tif 000006
【図５】
2015177896.tif 000007
【図６】
2015177896.tif 000008
【図７】
2015177896.tif 000009
【図８】
2015177896.tif 000010
【図９】
2015177896.tif 000011
【図１０】
2015177896.tif 000012
【図１１】
2015177896.tif 000013
【図１２】
2015177896.tif 000014
【図１３】
2015177896.tif 000015